(57)【要約】【課題】脚立を容易に、見た目よく、清潔に持ち運びすることができる脚立ケースを提供する。【解決手段】脚立ケース１０は、脚立を収納する収納部本体１１と、この収納部本体１１を手又は肩に掛けて持つための持ち手１２とを備えている。収納部本体１１は、防水機能を有する柔軟なシート状部材により構成されている。収納部本体１１の角部には、補強部材１４が配設されている。また、収納部本体１１の内部には、例えば、脚立を固定するための固定手段が設けられている。【選択図】図１
0003205509.tif 000002
【実用新案登録請求の範囲】
【請求項１】
脚立を収納する収納部本体と、この収納部本体を手で又は肩に掛けて持つための持ち手とを備え、
前記収納部本体は、防水機能を有する柔軟なシート状部材よりなり、
前記収納部本体には、開閉手段により開閉可能とされた脚立を出し入れするための出し入れ口が設けられ、
前記収納部本体の角部には、補強部材が配設された
ことを特徴とする脚立ケース。
【請求項２】
前記収納部本体の内部には、脚立を固定するための固定手段が設けられたことを特徴とする請求項１記載の脚立ケース。
【請求項３】
前記収納部本体を使用しない時に、丸めて又は折り畳んで小さくした状態に保持するための保持バンド部材を備えたことを特徴とする請求項１又は請求項２記載の脚立ケース。
【請求項４】
前記収納部本体は、脚立の高さ方向に対応する長さが１８００ｍｍ以上１９００ｍｍ以下の範囲内であり、脚立の上端幅方向に対応する短辺の幅が３００ｍｍ以上４００ｍｍ以下の範囲内であり、脚立の下端幅方向に対応する長辺の幅が６５０ｍｍ以上７５０ｍｍ以下の範囲内であり、厚みが１５０ｍｍ以上２５０ｍｍ以下の範囲内であることを特徴とする請求項１から請求項３のいずれか１に記載の脚立ケース。
【考案の詳細な説明】
【技術分野】
【０００１】
本考案は、脚立を収納する脚立ケースに関する。
【背景技術】
【０００２】
脚立は、各種作業において足場として広く使用されており、一般に、作業をする人が作業現場に持って行って使用することが多い。従来は、脚立を閉じてそのまま剥き出しの状態で持ち運びされていた。そのため、持ち運びしにくいという問題があった。また、人目に付くことも多く、見た目が悪いという問題もあった。更に、屋内で作業する際には、外から屋内に脚立を運び込むので、脚立で屋内が汚れてしまうのではないかとの心配になる場合もあった。加えて、また、持ち運び時に限らず、保管時においても、そのまま剥き出しの状態で置いていたので、持ち運び時及び保管時に脚立が汚れてしまう場合があった。
【先行技術文献】
【特許文献】
【０００３】
【特許文献１】特開２００５−１８８２０９号公報
【考案の概要】
【考案が解決しようとする課題】
【０００４】
本考案は、このような問題に基づきなされたものであり、脚立を容易に、見た目よく、清潔に持ち運びすることができる脚立ケースを提供することを目的とする。
【０００５】
なお、従来より、脚立の脚部に嵌挿して床等の損傷を防止しつつ、使用中の滑りを防止する脚立の脚部用カバーが提案されている（例えば、特許文献１参照）。しかし、特許文献１に記載の脚部用カバーは、脚立の脚に嵌め合わせるものであり、脚立全体を覆うものではなく、本願考案とは構成が全く異なっている。
【課題を解決するための手段】
【０００６】
本考案の脚立ケースは、脚立を収納する収納部本体と、この収納部本体を手で又は肩に掛けて持つための持ち手とを備え、収納部本体は、防水機能を有する柔軟なシート状部材よりなり、収納部本体には、開閉手段により開閉可能とされた脚立を出し入れするための出し入れ口が設けられ、収納部本体の角部には、補強部材が配設されたものである。
【考案の効果】
【０００７】
本考案によれば、脚立を収納する収納部本体と、この収納部本体を持つための持ち手とを備えるようにしたので、脚立を容易に、かつ、見た目よく持ち運ぶことができる。また、脚立が汚れることを防止することができると共に、脚立を屋内で使用する際に、屋内を汚してしまうことを防止することができる。よって、清潔に使用することができる。
【０００８】
更に、収納部本体を防水機能を有する柔軟なシート状部材により構成するようにしたので、雨天においても脚立が濡れることを防止して持ち運ぶことができると共に、脚立を取り出した後は、丸めたり折り畳んで小さくすることができる。
【０００９】
加えて、収納部本体の角部に補強部材を配設するようにしたので、収納部本体の強度を向上させることができると共に、脚立を収納して持ち運ぶ際には、脚立を保護する機能を向上させることもできる。
【００１０】
更にまた、収納部本体の内部に脚立を固定するための固定手段を設けるようにすれば、収納部本体に対して大きさが小さい脚立であっても、内部で固定することにより、安定して持ち運ぶことができる。
【００１１】
加えてまた、収納部本体を丸めて又は折り畳んで小さくした状態に保持するための保持バンド部材を備えるようにすれば、収納部本体を容易に小さくまとめて保持することができる。
【図面の簡単な説明】
【００１２】
【図１】本考案の一実施の形態に係る脚立ケースの構成を表す図である。
【図２】図１に示したＩＩ−ＩＩ線に沿った断面構成図である。
【図３】図１に示した脚立ケースの閉じた状態を表す参考写真である。
【図４】図１に示した脚立ケースの開いた状態を表す参考写真である。
【考案を実施するための形態】
【００１３】
以下、本考案の実施の形態について、図面を参照して詳細に説明する。
【００１４】
図１は、本考案の一の実施の形態に係る脚立ケース１０の構成を表すものである。図２は、図１に示したＩＩ−ＩＩ線に沿った断面構成を表すものである。図３は、脚立ケース１０の閉じた状態を表す参考写真であり、図４は、開いた状態を表す参考写真である。この脚立ケース１０は、脚立を収納する収納部本体１１と、この収納部本体１１を手又は肩に掛けて持つための持ち手１２とを備えている。
【００１５】
収納部本体１１は、例えば、脚立を閉じた状態で全体を覆うことができるように形成されており、対向するように配設された第１面部１１Ａ及び第２面部１１Ｂと、これら第１面部１１Ａ及び第２面部１１Ｂの間に配設された厚み部１１Ｃとを有している。第１面部１１Ａ及び第２面部１１Ｂは、例えば、脚立の側面形状に合わせた台形状に形成されている。なお、この台形状というのは、角部が丸められていてもよい。
【００１６】
収納部本体１１、すなわち、第１面部１１Ａ、第２面部１１Ｂ，及び、厚み部１１Ｃは、例えば、防水機能を有する柔軟なシート状部材により構成されている。具体的には、例えば、防水加工がされた布、ビニール製シート、又は、布とビニール製シートとを積層あるいは複合化したシート状部材により構成されている。これにより、雨天においても脚立が濡れることを防止して持ち運ぶことができると共に、脚立を取り出した後は、丸めたり折り畳んで小さくすることができるようになっている。
【００１７】
収納部本体１１には、ファスナー等の開閉手段１３により開閉可能とされ、脚立を出し入れするための出し入れ口１１Ｄが設けられている。出し入れ口１１Ｄは、例えば、厚み部１１Ｃの厚み方向における中央部において、周方向に沿って設けられている。出し入れ口１１Ｄは、例えば、全周にわたって設けるようにしてもよいが、周方向の一部に設け、残りの一部は第１面部１１Ａと第２面部１１Ｂとが厚み部１１Ｃを介して連続するように構成することが好ましい。取り扱いを容易とすることができるからである。また、出し入れ口１１Ｄは、第１面部１１Ａ及び第２面部１１Ｂの少なくとも３辺が開くように設けられることが好ましい。脚立の出し入れを容易とすることができるからである。
【００１８】
なお、出し入れ口１１Ｄは、厚み部１１Ｃの厚み方向における中央部でなく、第１面部１１Ａの側又は第２面部１１Ｂの側に設けてもよく、それらとの境界に設けてもよい。また、出し入れ口１１Ｄは、厚み部１１Ｃではなく、第１面部１１Ａあるいは第２面部１１Ｂ、又は、第１面部１１Ａから厚み部１１Ｃにかけて、あるいは、第２面部１１Ｂから厚み部１１Ｃにかけて設けるようにしてもよい。開閉手段１３は、ファスナー以外のものでもよく、例えば、ボタン、スナップ、又は、フックが挙げられ、複数を組み合わせて用いてもよい。
【００１９】
収納部本体１１には、また、角部に補強部材１４が配設されている。収納部本体１１の強度を向上させると共に、脚立の損傷を抑制するためである。補強部材１４は、例えば、厚手の布により構成され、中にクッション部材が挿入されていてもよい。補強部材１４は、図１では収納部本体１１の内側に配設する場合について示したが、収納部本体１１の外側に配設してもよい。
【００２０】
収納部本体１１の内部には、例えば、脚立を固定するための固定手段１５が設けられていることが好ましい。収納部本体１１に対して大きさが小さい脚立であっても、固定することにより、安定して持ち運ぶことができるからである。固定手段１５は、例えば、バンドにより構成されており、バンドを脚立の一部にかけて結んだり、バンドに配設した面状ファスナー、ボタン、スナップ、又は、フックなどの留め具で留めたりすることにより固定するようになっている。固定手段１５は、少なくとも１つ設けることが好ましく、複数設けるようにすればより好ましい。なお、図４に示した参考写真では、固定手段１５を省略している。
【００２１】
収納部本体１１の内部には、また、タオルなどの小物を入れるための収納ポケット１６が設けられていることが好ましい。収納部本体１１には、更に、収納部本体１１を使用しない時に、丸めて又は折り畳んで小さくした状態に保持するための保持バンド部材１７が取り付けられていることが好ましい。収納部本体１１を容易に小さくまとめて保持することができるからである。保持バンド部材１７は、脚立の持ち運び時に邪魔にならないように収納部本体１１の内部に取り付けられ、出し入れ口１１Ｄから引き出して用いることができるようになっていることが好ましい。保持バンド部材１７の先端側には、例えば、面状ファスナー、ボタン、スナップ、又は、フックなどの留め具が配設されていることが好ましい。なお、図４に示した参考写真では、固定手段１５を省略している。
【００２２】
収納部本体１１は、例えば、６尺の脚立が収納できる大きさが好ましい。具体的には、例えば、脚立の高さ方向に対応する長さが１８００ｍｍ以上１９００ｍｍ以下の範囲内であり、脚立の上端幅方向に対応する短辺の幅が３００ｍｍ以上４００ｍｍ以下の範囲内であり、脚立の下端幅方向に対応する長辺の幅が６５０ｍｍ以上７５０ｍｍ以下の範囲内であり、厚みが１５０ｍｍ以上２５０ｍｍ以下の範囲内であることが好ましい。６尺の脚立まで収納することができると共に、３尺の脚立であれば２台収納することができるからである。
【００２３】
収納部本体１１の色は、例えば、汚れが目立たないように、黒、グレー、又は、ネイビーとすることが好ましい。
【００２４】
持ち手１２は、収納部本体１１の厚み部１１Ｃに長さ方向に沿って取り付けられることが好ましい。例えば、持ち手１２を肩に掛けて、脚立を縦向き（立てて）にして持ち運ぶこともできると共に、持ち手１２を肩に掛けるか又は手に持って、脚立を横向きにして持ち運ぶこともできるからである。持ち手１２は、例えば、バンドにより構成され、長さを調節できる機能を備えていることが好ましい。
【００２５】
このように本実施の形態によれば、脚立を収納する収納部本体１１と、この収納部本体１１を持つための持ち手１２とを備えるようにしたので、脚立を容易に、かつ、見た目よく持ち運ぶことができる。また、脚立が汚れることを防止することができると共に、脚立を屋内で使用する際に、屋内を汚してしまうことを防止することができる。よって、清潔に使用することができる。
【００２６】
更に、収納部本体１１を防水機能を有する柔軟なシート状部材により構成するようにしたので、雨天においても脚立が濡れることを防止して持ち運ぶことができると共に、脚立を取り出した後は、丸めたり折り畳んで小さくすることができる。
【００２７】
加えて、収納部本体１１の角部に補強部材１３を配設するようにしたので、収納部本体１１の強度を向上させることができると共に、脚立を収納して持ち運ぶ際には、脚立を保護する機能を向上させることもできる。
【００２８】
更にまた、収納部本体１１の内部に脚立を固定するための固定手段１５を設けるようにすれば、収納部本体１１に対して大きさが小さい脚立であっても、内部で固定することにより、安定して持ち運ぶことができる。
【００２９】
加えてまた、収納部本体１１を丸めて又は折り畳んで小さくした状態に保持するための保持バンド部材１７を備えるようにすれば、収納部本体１１を容易に小さくまとめて保持することができる。
【００３０】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００３１】
１０…脚立ケース、１１…収納部本体、１１Ａ…第１面部、１１Ｂ…第２面部、１１Ｃ…厚み部、１１Ｄ…出し入れ口、１２…持ち手、１３…開閉手段、１４…補強部材、１５…固定手段、１６…収納ポケット、１７…保持バンド部材
【図１】
0003205509.tif 000003
【図２】
0003205509.tif 000004
【図３】
0003205509.tif 000005
【図４】
0003205509.tif 000006